(57)【要約】【課題】既存の蛍光灯ソケットにそのまま装着して使用できる蛍光灯型ＬＥＤランプであって、組み込まれているＬＥＤモジュールの電源回路に無駄がなく、しかも、その保護回路が確実に機能し、ＬＥＤランプが本来有する省資源、省電力、長寿命の優れた諸特性をそのまま発現できる蛍光灯型ＬＥＤランプを提供する。【解決手段】一端部のピン端子２Ａ，２Ｂと他端部のピン端子２Ｃ，２Ｄのうちの何れか２本のピン端子間に既存の蛍光灯ソケットから交流電圧が供給されると、第１の整流回路８Ａ１の直流出力側と第２の整流回路８Ａ２の直流出力側との間に、単一のヒューズ８Ｃ１、電圧制御回路８Ｂ、単一のサーミスタ８Ｃ２が相互に直列に接続されたＬＥＤモジュールの電源回路が閉成されることで、各ＬＥＤパッケージ７が点灯する。その際、単一のヒューズ８Ｃ１が過電流を遮断し、単一のサーミスタ８Ｃ２がサージ電流を遮断することで電圧制御回路８Ｂおよび各ＬＥＤパッケージ７を保護する。【選択図】図４
2011129323.tif 000002
【特許請求の範囲】
【請求項１】
ＬＥＤモジュールを内蔵し、かつ、既存の蛍光灯ソケットに差込み接続可能なピン端子を両端部にそれぞれ２本づつ備えた直管形または円環形の蛍光灯型ＬＥＤランプであって、
前記ＬＥＤモジュールを点灯させる電源回路として、
一端部の２本のピン端子に交流入力側が接続された第１の整流回路と、
他端部の２本のピン端子に交流入力側が接続された第２の整流回路と、
前記第１の整流回路および第２の整流回路の共通の直流出力側にＬＥＤモジュールと共に接続された電圧制御回路と、
前記電圧制御回路に対して直列に接続された保護回路とを備えた電源回路が組み込まれていることを特徴とする蛍光灯型ＬＥＤランプ。
【請求項２】
前記保護回路が相互に直列に接続された単一のヒューズおよび単一のサーミスタを有することを特徴とする請求項１に記載の蛍光灯型ＬＥＤランプ。
【請求項３】
前記第１の整流回路および第２の整流回路がダイオードブリッジ回路であることを特徴とする請求項１または２に記載の蛍光灯型ＬＥＤランプ。
【発明の詳細な説明】
【技術分野】
【０００１】
本発明は、複数のＬＥＤ（発光ダイオード）を光源とするＬＥＤランプに関し、詳しくは、既存の蛍光灯ソケットにそのまま装着して使用できる蛍光灯型ＬＥＤランプに関するものである。
【０００２】
種々の分野で省エネルギー対策が進められている昨今、照明機器の分野では、白熱灯はもとより蛍光灯と比べても消費電力が格段に小さく、しかも寿命が圧倒的に長いＬＥＤランプが脚光を浴びている。
【０００３】
このＬＥＤランプは、回路基板に実装された複数のＬＥＤからなるＬＥＤモジュールを光源とするランプであり、この種のＬＥＤランプとして、既存の蛍光灯ソケットにそのまま装着して使用できる蛍光灯型ＬＥＤランプが従来一般に知られている（例えば特許文献１または２参照）。
【０００４】
ここで、蛍光灯型ＬＥＤランプには、通常、蛍光灯ソケットに供給される交流を直流に変換する整流回路、整流された直流を所定の電圧に制御する電圧制御回路、過電流を遮断するヒューズやサージ電流を遮断するサーミスタなどを有する保護回路などがＬＥＤモジュールの電源回路として組み込まれている。
【０００５】
その一例として、図５に示すＬＥＤモジュールの電源回路は、蛍光灯型ＬＥＤランプの一端部に設けられた２本のピン端子Ｐ１，Ｐ２に交流入力側が接続された第１の整流回路Ｒ１と、他端部に設けられた２本のピン端子Ｐ３，Ｐ４に交流入力側が接続された第２の整流回路Ｒ２と、第１の整流回路Ｒ１の交流入力側におけるピン端子Ｐ１との間の挿入された第１のヒューズＦ１およびピン端子Ｐ２との間の挿入された第１のサーミスタＴ１と、第２の整流回路Ｒ２の交流入力側におけるピン端子Ｐ３との間の挿入された第２のヒューズＦ２およびピン端子Ｐ４との間の挿入された第２のサーミスタＴ２とを備えている。そして、第１の整流回路Ｒ１および第２の整流回路Ｒ２の共通の直流出力側にＬＥＤモジュールＬＭが接続されている。
【先行技術文献】
【特許文献】
【０００６】
【特許文献１】特開２００１−３５１４０２号公報
【特許文献２】特開平１１−２６０１２５号公報
【発明の概要】
【発明が解決しようとする課題】
【０００７】
ここで、図５に示したＬＥＤの電源回路においては、４本のピン端子Ｐ１〜Ｐ４のうち、何れか２本に蛍光灯ソケットから交流電圧が供給されれば、ＬＥＤモジュールＬＭが点灯するため、既存の蛍光灯ソケットの配線状態に影響されることなくＬＥＤモジュールＬＭを点灯させることができる。
【０００８】
しかしながら、ピン端子Ｐ１，Ｐ３間に交流電圧が供給される場合には、第１のサーミスタＴ１および第２のサーミスタＴ２が通電経路から外れることとなるため、サージ電流を遮断することができなくなる。また、ピン端子Ｐ２，Ｐ４間に交流電圧が供給される場合には、第１のヒューズＦ１および第２のヒューズＦ２が通電経路から外れることとなるため、過電流を遮断することができなくなる。
【０００９】
加えて、ピン端子Ｐ１，Ｐ２間に交流電圧が供給される場合、第２の整流回路Ｒ２、第２のヒューズＦ２および第２のサーミスタＴ２は通電経路から外れることとなり、これらは全く無駄な存在となる。同様に、ピン端子Ｐ３，Ｐ４間に交流電圧が供給される場合、第１の整流回路Ｒ１、第１のヒューズＦ１および第１のサーミスタＴ１は通電経路から外れることとなり、これらは全く無駄な存在となる。
【００１０】
さらに、ピン端子Ｐ１，Ｐ４間に交流電圧が供給される場合、第１のサーミスタＴ１および第２のヒューズＦ２は通電経路から外れることとなり、これらは全く無駄な存在となる。同様に、ピン端子Ｐ２，Ｐ３間に交流電圧が供給される場合、第１のヒューズＦ１および第２のサーミスタＴ２は通電経路から外れることとなり、これらは全く無駄な存在となる。
【００１１】
本発明は、このような従来技術の問題点に対応してなされたものであり、既存の蛍光灯ソケットにそのまま装着して使用できる蛍光灯型ＬＥＤランプであって、組み込まれているＬＥＤモジュールの電源回路に無駄がなく、しかも、その保護回路が確実に機能し、ＬＥＤランプが本来有する省資源、省電力、長寿命の優れた諸特性をそのまま発現できる蛍光灯型ＬＥＤランプを提供することを課題とする。
【課題を解決するための手段】
【００１２】
このような課題を解決するため、本発明に係る蛍光灯型ＬＥＤランプは、ＬＥＤモジュールを内蔵し、かつ、既存の蛍光灯ソケットに差込み接続可能なピン端子を両端部にそれぞれ２本づつ備えた直管形または円環形の蛍光灯型ＬＥＤランプであって、ＬＥＤモジュールを点灯させる電源回路として、一端部の２本のピン端子に交流入力側が接続された第１の整流回路と、他端部の２本のピン端子に交流入力側が接続された第２の整流回路と、第１の整流回路および第２の整流回路の共通の直流出力側にＬＥＤモジュールと共に接続された電圧制御回路と、電圧制御回路に対して直列に接続された保護回路とを備えた電源回路が組み込まれていることを特徴とする。
【００１３】
本発明に係る蛍光灯型ＬＥＤランプは、既存の蛍光灯ソケットに一端部の２本のピン端子および他端部の２本のピン端子をそれぞれ差込み接続して使用される。ここで、一端部の何れか１本のピン端子と他端部の何れか１本のピン端子との間に蛍光灯ソケットから交流電圧が供給されると、第１の整流回路の直流出力側と第２の整流回路の直流出力側との間に電圧制御回路および保護回路が相互に直列に接続されたＬＥＤモジュールの電源回路が閉成されることで、ＬＥＤモジュールが点灯する。その際、保護回路が電圧制御回路およびＬＥＤモジュールを保護する。
【００１４】
また、蛍光灯型ＬＥＤランプの一端部の２本のピン端子間に蛍光灯ソケットから交流電圧が供給される場合には、第１の整流回路の直流出力側に電圧制御回路および保護回路が相互に直列に接続されたＬＥＤモジュールの電源回路が閉成されることで、ＬＥＤモジュールが点灯する。その際、保護回路が電圧制御回路およびＬＥＤモジュールを保護する。
【００１５】
さらに、蛍光灯型ＬＥＤランプの他端部の２本のピン端子間に蛍光灯ソケットから交流電圧が供給される場合には、第２の整流回路の直流出力側に電圧制御回路および保護回路が相互に直列に接続されたＬＥＤモジュールの電源回路が閉成されることで、ＬＥＤモジュールが点灯する。その際、保護回路が電圧制御回路およびＬＥＤモジュールを保護する。
【００１６】
本発明の蛍光灯型ＬＥＤランプにおいて、保護回路は、相互に直列に接続された単一のヒューズおよび単一のサーミスタを有する無駄のない構成とすることができる。この場合、単一のヒューズが過電流を遮断して電圧制御回路およびＬＥＤモジュールを保護し、単一のサーミスタがサージ電流を遮断して電圧制御回路およびＬＥＤモジュールを保護する。
【００１７】
また、本発明の蛍光灯型ＬＥＤランプにおいて、第１の整流回路および第２の整流回路がダイオードブリッジ回路であると、全波整流によりＬＥＤモジュールを明るく点灯させることができるので好ましい。
【発明の効果】
【００１８】
本発明に係る蛍光灯型ＬＥＤランプによれば、既存の蛍光灯ソケットがどのような回路構成を有する場合においても、第１の整流回路および／または第２の整流回路の直流出力側に、電圧制御回路および保護回路が相互に直列に接続されたＬＥＤモジュールの電源回路を閉成してＬＥＤモジュールを確実に点灯させることができる。その際、保護回路により電圧制御回路およびＬＥＤモジュールを確実に保護することができ、保護回路が相互に直列に接続された単一のヒューズおよび単一のサーミスタを有する場合には、これらを無駄なく確実に機能させることができる。従って、本発明によれば、ＬＥＤモジュールの電源回路に無駄がなく、しかも、その保護回路が確実に機能し、ＬＥＤランプの本来の優れた諸特性（省資源、省電力、長寿命）をそのまま保有する蛍光灯型ＬＥＤランプを提供することができる。
【図面の簡単な説明】
【００１９】
【図１】本発明の一実施形態に係る蛍光灯型ＬＥＤランプの斜視図である。
【図２】図１に示した蛍光灯型ＬＥＤランプの模式的な縦断面図である。
【図３】図２のＩＩＩ−ＩＩＩ線に沿う縦断面図である。
【図４】図２示したＬＥＤモジュールの電源回路の回路図である。
【図５】従来例によるＬＥＤモジュールの電源回路の回路図である。
【発明を実施するための形態】
【００２０】
以下、添付の図面を参照して本発明に係る蛍光灯型ＬＥＤランプの実施の形態を説明する。一実施形態の蛍光灯型ＬＥＤランプは、例えば図１に示すように、６００〜２４００ｍｍの範囲の規格の長さを有する直管形の蛍光灯型ＬＥＤランプとして構成されている。
【００２１】
この蛍光灯型ＬＥＤランプの一端部の口金１Ａには、図示しない既存の蛍光灯ソケットの一方に差込み接続可能な２本のピン端子２Ａ，２Ｂが突設され、その他端部の口金１Ｂには、図示しない既存の蛍光灯ソケットの他方に差込み接続可能な２本のピン端子２Ｃ，２Ｄが突設されている。
【００２２】
口金１Ａ，１Ｂは、周面一部に切割り状開口部を有する直管状の透光カバー３の両端部に装着されている。そして、この口金１Ａ，１Ｂが両端部に装着された透光カバー３の切割り状開口部には、透光カバー３の長手方向に沿って延びるバー状の溝型放熱部材４が装着されている。
【００２３】
透光カバー３は、例えばポリカーボネート（ＰＣ）やアクリル樹脂などの透明樹脂に適宜の光拡散剤を混入して成形されたすりガラス状の外観を呈するものであり、直径が例えば３２ｍｍ、肉厚が例えば０．８〜１．０ｍｍ程度に成形されている。この透光カバー３の切割り状開口部には、図２に示すように、溝型放熱部材４を装着するための山形断面の係合凸部３Ａ，３Ａが相互に対向して形成されている。
【００２４】
溝型放熱部材４は、例えば板厚が０．８〜１．０ｍｍのアルミニウム板を図２に示す溝型の断面形状にプレス成形したものであり、溝部の開口幅は８〜１２ｍｍ程度、深さは８ｍｍ程度に設定されていて、極めて軽量化されている。この溝型放熱部材４の開口部には、透光カバー３の係合凸部３Ａ，３Ａに着脱自在に係合する係合凹部４Ａ，４Ａが折曲げ加工により形成されている。
【００２５】
溝型放熱部材４は、その係合凹部４Ａ，４Ａが透光カバー３の係合凸部３Ａ，３Ａに係合することで透光カバー３の切割り状開口部に着脱自在に装着されており、この装着状態で溝型放熱部材４は透光カバー３の内側に突出している。そして、透光カバー３の内側に突出する溝型放熱部材４の平坦な突出頂面４Ｂには、図３に示すように、溝型放熱部材４の長手方向に沿って延びる長板状のパッケージ基板５が複数の止ねじ６により固定されている。
【００２６】
パッケージ基板５には、複数の装着穴５Ａが長手方向に沿って所定間隔で形成されており、各装着穴５ＡにはＬＥＤパッケージ７がそれぞれ嵌め込まれている。パッケージ基板５の装着穴５Ａの壁面のうち、図２に示す横断面に表れる左右の壁面は、溝型放熱部材４側の相互間隔が広く、反対側の相互間隔が狭くなるように左右対称に傾斜する傾斜壁面５Ｂ，５Ｂとされている。
【００２７】
ＬＥＤパッケージ７は、ポリカーボネート（ＰＣ）やセラミックスからなる薄型ボックス状のキャビティ基体７Ａに形成されたリフレクタ凹部７Ｂの底部にＬＥＤチップ７Ｃが配置され、このＬＥＤチップ７Ｃがリフレクタ凹部７Ｂに充填された封入樹脂７Ｄにより封入された構造を有する。
【００２８】
ＬＥＤチップ７Ｃは、例えばＬＥＤパッケージ７に白色光を発光させるために青色光を発光するものである。封入樹脂７Ｄは、エポキシ樹脂やシリコン樹脂からなり、この封入樹脂７Ｄには、ＬＥＤチップ７Ｃの青色光によりその補色の黄色光を発光する蛍光体が分散されている。なお、図示省略したが、各ＬＥＤパッケージ７のリフレクタ凹部７Ｂの周壁面には、ＬＥＤチップ７Ｃの投光を反射するリフレクタ用のメッキ層が形成されている。このメッキ層は、例えば、銅（Ｃｕ），ニッケル（Ｎｉ），銀（Ａｇ）のメッキ層を順次積層したものである。
【００２９】
このようなＬＥＤパッケージ７は、図２の下方に向かうＬＥＤチップ７Ｃの投光方向とは反対側の基端面を溝型放熱部材４の突出頂面４Ｂに対面させて配置されている。このＬＥＤパッケージ７が配置される位置は、透光カバー３の断面中央部から切割り状開口部側に寄った位置となっている。
【００３０】
ＬＥＤパッケージ７のキャビティ基体７Ａの外側面のうち、図２に示す横断面に表れる左右の外側面は、パッケージ基板５の左右の傾斜壁面５Ｂ，５Ｂと同じ角度で傾斜する傾斜側面７Ｅ，７Ｅとされている。そして、ＬＥＤパッケージ７の基端面側である傾斜側面７Ｅ，７Ｅの基端部がパッケージ基板５の傾斜壁面５Ｂ，５Ｂに斜面係合し、この状態でパッケージ基板５が複数の止ねじ６により溝型放熱部材４の突出頂面４Ｂに固定されることで、ＬＥＤパッケージ７の基端面側が溝型放熱部材４の突出頂面４Ｂ側に押圧されている。
【００３１】
ＬＥＤパッケージ７の基端面側となるリフレクタ凹部７Ｂの底部には、ＬＥＤチップ７Ｃをパッケージ基板５に接続する回路の一部を構成する電極層７Ｆが露出状態で形成されている。この電極層７Ｆは、厚さが０．０２５ｍｍ程度であって、ＬＥＤパッケージ７の基端面から０．０１５〜０．０２０ｍｍ程度突出しており、ＬＥＤチップ７Ｃに接触すると共に、溝型放熱部材４の突出頂面４Ｂに押圧されて圧接している。
【００３２】
ここで、溝型放熱部材４の凹部内には蛍光灯型ＬＥＤランプの電源ユニット８が配設されている（図２参照）。この電源ユニット８には、パッケージ基板５上に配設された複数のＬＥＤパッケージ７からなるＬＥＤモジュールを点灯させる電源回路が構成されている。
【００３３】
図４に示すように、ＬＥＤモジュールを点灯させる電源回路は、図１に示した蛍光灯型ＬＥＤランプにおける一端部の２本のピン端子２Ａ，２Ｂに交流入力側が接続された第１の整流回路８Ａ１と、他端部の２本のピン端子２Ｃ，２Ｄに交流入力側が接続された第２の整流回路８Ａ２と、第１の整流回路８Ａ１および第２の整流回路８Ａ２の共通の直流出力側にＬＥＤモジュールと共に接続された電圧制御回路８Ｂと、電圧制御回路８Ｂに対して直列に接続された保護回路８Ｃとを備えている。
【００３４】
第１の整流回路８Ａ１および第２の整流回路８Ａ２は、全波整流用のダイオードブリッジ回路で構成されており、その直流出力側のプラス端子同士とマイナス端子同士とがそれぞれ接続されることで、共通の直流出力側を構成している。
【００３５】
電圧制御回路８Ｂは、ＬＥＤモジュールを構成する複数のＬＥＤパッケージ７のアノード側に直列に接続されており、各ＬＥＤパッケージ７に所定電圧（例えば２．８Ｖ）に調整した電圧を供給する。また、保護回路８Ｃは、相互に直列に接続された単一のヒューズ８Ｃ１および単一のサーミスタ８Ｃ２を有し、電圧制御回路８Ｂおよび各ＬＥＤパッケージ７を過電流やサージ電流から保護する。
【００３６】
単一のヒューズ８Ｃ１は、第１の整流回路８Ａ１および第２の整流回路８Ａ２の共通のプラス端子側と電圧制御回路８Ｂとの間に挿入されている。このヒューズ８Ｃ１は、過電流が流れた際の高温で溶断することにより、電圧制御回路８Ｂおよび各ＬＥＤパッケージ７を過電流から保護する。
【００３７】
単一のサーミスタ８Ｃ２は、低温時には抵抗値が高く、温度上昇に応じて抵抗値が低下する負特性を有するＮＴＣ（negative temperature coefficient）型のサーミスタである。このＮＴＣ型のサーミスタ８Ｃ２は、第１の整流回路８Ａ１および第２の整流回路８Ａ２の共通のマイナス端子側と複数のＬＥＤパッケージ７からなるＬＥＤモジュールのカソード側との間に挿入されており、電源スイッチ投入の際のサージ電流を遮断することで電圧制御回路８Ｂおよび各ＬＥＤパッケージ７をサージ電流から保護する。
【００３８】
以上のように構成された一実施形態の蛍光灯型ＬＥＤランプは、図１に示した蛍光灯型ＬＥＤランプの一端部の２本のピン端子２Ａ，２Ｂおよび他端部の２本のピン端子２Ｃ，２Ｄをそれぞれ図示しない既存の蛍光灯ソケットに差込み接続して使用される。そして、この蛍光灯型ＬＥＤランプは、図示しない電源スイッチの投入により点灯する。
【００３９】
ここで、例えば、図４に示した一端部のピン端子２Ｂと他端部のピン端子２Ｄとの間に既存の蛍光灯ソケットを介して図示しないグローランプが接続される回路構成の場合、一端部のピン端子２Ａと他端部のピン端子２Ｃとの間に図示しない電源スイッチおよび安定器を介して既存の蛍光灯ソケットから交流電圧が供給される。
【００４０】
この場合、一端部のピン端子２Ａがプラス電位となる交流半周期では、ピン端子２Ａ→第１の整流回路８Ａ１の直流出力側のプラス端子→単一のヒューズ８Ｃ１→電圧制御回路８Ｂ→複数のＬＥＤパッケージ７→単一のサーミスタ８Ｃ２→第２の整流回路８Ａ２の直流出力側のマイナス端子→他端部のピン端子２Ｃの経路で電流が流れる。
【００４１】
そして、他端部のピン端子２Ｃがプラス電位となる交流半周期では、ピン端子２Ｃ→第２の整流回路８Ａ２の直流出力側のプラス端子→単一のヒューズ８Ｃ１→電圧制御回路８Ｂ→複数のＬＥＤパッケージ７→単一のサーミスタ８Ｃ２→第１の整流回路８Ａ１の直流出力側のマイナス端子→一端部のピン端子２Ａの経路で電流が流れる。
【００４２】
一方、図４に示した一端部のピン端子２Ｂと他端部のピン端子２Ｃとの間に既存の蛍光灯ソケットを介して図示しないグローランプが接続される回路構成の場合、一端部のピン端子２Ａと他端部のピン端子２Ｄとの間に図示しない電源スイッチおよび安定器を介して既存の蛍光灯ソケットから交流電圧が供給される。
【００４３】
この場合、一端部のピン端子２Ａがプラス電位となる交流半周期では、ピン端子２Ａ→第１の整流回路８Ａ１の直流出力側のプラス端子→単一のヒューズ８Ｃ１→電圧制御回路８Ｂ→複数のＬＥＤパッケージ７→単一のサーミスタ８Ｃ２→第２の整流回路８Ａ２の直流出力側のマイナス端子→他端部のピン端子２Ｄの経路で電流が流れる。
【００４４】
そして、他端部のピン端子２Ｄがプラス電位となる交流半周期では、ピン端子２Ｄ→第２の整流回路８Ａ２の直流出力側のプラス端子→単一のヒューズ８Ｃ１→電圧制御回路８Ｂ→複数のＬＥＤパッケージ７→単一のサーミスタ８Ｃ２→第１の整流回路８Ａ１の直流出力側のマイナス端子→一端部のピン端子２Ａの経路で電流が流れる。
【００４５】
また、図４に示した一端部のピン端子２Ａ，２Ｂ間に図示しない電源スイッチおよび安定器を介して蛍光灯ソケットから交流電圧が供給される場合、一端部のピン端子２Ａがプラス電位となる交流半周期では、ピン端子２Ａ→第１の整流回路８Ａ１の直流出力側のプラス端子→単一のヒューズ８Ｃ１→電圧制御回路８Ｂ→複数のＬＥＤパッケージ７→単一のサーミスタ８Ｃ２→第１の整流回路８Ａ１の直流出力側のマイナス端子→一端部のピン端子２Ｂの経路で電流が流れる。
【００４６】
そして、一端部のピン端子２Ｂがプラス電位となる交流半周期では、ピン端子２Ｂ→第１の整流回路８Ａ１の直流出力側のプラス端子→単一のヒューズ８Ｃ１→電圧制御回路８Ｂ→複数のＬＥＤパッケージ７→単一のサーミスタ８Ｃ２→第１の整流回路８Ａ１の直流出力側のマイナス端子→一端部のピン端子２Ａの経路で電流が流れる。
【００４７】
なお、図４に示した他端部のピン端子２Ｃ，２Ｄ間に図示しない電源スイッチおよび安定器を介して蛍光灯ソケットから交流電圧が供給される場合にも、一端部のピン端子２Ａ，２Ｂ間に交流電圧が供給される場合と同様の点灯回路が他端部のピン端子２Ｃ，２Ｄ間に構成される。
【００４８】
このように、一実施形態の蛍光灯型ＬＥＤランプは、一端部のピン端子２Ａ，２Ｂと他端部のピン端子２Ｃ，２Ｄのうちの何れか２本のピン端子間に既存の蛍光灯ソケットから交流電圧が供給されると、その交流の全周期に渡って電圧制御回路８Ｂにより所定電圧（例えば２．８Ｖ）調整された直流電流がＬＥＤモジュールを構成する複数のＬＥＤパッケージ７に流れることで、各ＬＥＤパッケージ７の各ＬＥＤチップ７Ｃが明るく点灯し、その白色光の点灯光が透光カバー３を通して照射される。
【００４９】
その際、単一のサーミスタ８Ｃ２が電源スイッチの投入の際のサージ電流を遮断して電圧制御回路８Ｂおよび各ＬＥＤパッケージ７をサージ電流から保護する。また、電圧制御回路８Ｂおよび各ＬＥＤパッケージ７に過電流が流れた際には、単一のヒューズ８Ｃ１が瞬時に溶断して電圧制御回路８Ｂおよび各ＬＥＤパッケージ７を過電流から保護する。
【００５０】
すなわち、一実施形態の蛍光灯型ＬＥＤランプによれば、既存の蛍光灯ソケットがどのような回路構成を有する場合においても、ＬＥＤモジュールを構成する複数のＬＥＤパッケージ７を確実に点灯させることができる。しかも、保護回路８を構成する単一のヒューズ８Ｃ１および単一のサーミスタ８Ｃ２を無駄なく確実に機能させることができる。その結果、ＬＥＤランプが本来有する省資源、省電力、長寿命の優れた諸特性をそのまま発現できる。
【００５１】
そして、単一のヒューズ８Ｃ１と単一のサーミスタ８Ｃ２で保護回路８を構成することができるため、従来例のように第１のヒューズＦ１および第１のサーミスタＴ１に加えて第２のヒューズＦ２および第２のサーミスタＴ２を必要とするものと比較して経済性に優れる。
【００５２】
なお、一実施形態の蛍光灯型ＬＥＤランプにおいて、図３に示した複数のＬＥＤパッケージ７の各ＬＥＤチップ７Ｃの点灯に伴う発熱は、各ＬＥＤチップ７Ｃに接触する各電極層７Ｆ（図２参照）から、これが圧接する溝型放熱部材４の突出頂面４Ｂに直接かつ確実に伝熱され、溝型放熱部材４により効率よく放熱される。
【００５３】
本発明に係る蛍光灯型ＬＥＤランプは、前述した一実施形態に限定されるものではない。例えば、図４に示した保護回路８Ｃを構成するヒューズ８Ｃ１とサーミスタ８Ｃ２は、その挿入個所を相互に入れ替えてもよい。
【００５４】
また、ＮＴＣ型のサーミスタ８Ｃ２は、温度上昇に応じて抵抗値が上昇する正特性のＰＴＣ（positive temperature coefficient）型のサーミスタに変更することができる。この場合、ＰＴＣ型のサーミスタは、過電流により温度が急上昇して抵抗値が急激に増大することにより、その過電流を遮断して電圧制御回路８Ｂおよび各ＬＥＤパッケージ７を保護する。
【符号の説明】
【００５５】
１Ａ，１Ｂ…口金
２Ａ，２Ｂ…一端部のピン端子
２Ｃ，２Ｄ…他端部のピン端子
３…透光カバー
４…溝型放熱部材
５…パッケージ基板
７…ＬＥＤパッケージ
８…電源ユニット
８Ａ１…第１の整流回路
８Ａ２…第２の整流回路
８Ｂ…電圧制御回路
８Ｃ…保護回路
８Ｃ１…単一のヒューズ
８Ｃ２…単一のサーミスタ
【図１】
2011129323.tif 000003
【図２】
2011129323.tif 000004
【図３】
2011129323.tif 000005
【図４】
2011129323.tif 000006
【図５】
2011129323.tif 000007